(57)【特許請求の範囲】
【請求項１】
ユーザーの蓄積数が設定されたユーザー情報を記憶するユーザー情報記憶部と、
ユーザーが第１所定数のアイテムを消費して抽選ゲームをプレイすることに応じて、当該プレイに対応する数量を前記ユーザーの蓄積数に加える第１蓄積部と、
ユーザーが前記第１所定数よりも少ない第２所定数の前記アイテムを消費して前記数量を購入することに応じて、当該数量を前記ユーザーの蓄積数に加える第２蓄積部と、
ユーザーの蓄積数が予め設定された目標数に到達したことによって、前記ユーザーに特典を付与する特典付与部と、
を備えた情報処理装置。
【請求項２】
所定期間が経過する度に、前記ユーザー情報記憶部が記憶する前記ユーザーの蓄積数をリセットするリセット部と、
を備えたことを特徴とする請求項１に記載の情報処理装置。
【請求項３】
前記第１蓄積部は、複数種類の抽選ゲームのうち、予め決められた特定の抽選ゲームをプレイする場合に限り、当該プレイに対応する数量を前記ユーザーの蓄積数に加え、
前記第２蓄積部は、ユーザーが前記特定の抽選ゲームのプレイに対応する数量を購入することに応じて、当該数量を前記ユーザーの蓄積数に加え、
前記特定の抽選ゲームのプレイ可能期間が終了したことによって、前記ユーザー情報記憶部が記憶する前記ユーザーの蓄積数をリセットするリセット部と、
を備えたことを特徴とする請求項１又は２に記載の情報処理装置。
【請求項４】
前記第２蓄積部は、
これまでにユーザーが購入した前記数量の合計量が、ユーザーが購入可能な最大量を超えていない場合に限り、
ユーザーが前記数量を購入することに応じて、当該数量を前記ユーザーの蓄積数に加える、
ことを特徴とする請求項１−３の何れか１項に記載の情報処理装置。
【請求項５】
前記第２蓄積部は、
これまでにユーザーが前記数量を購入した合計回数が、ユーザーが購入可能な最大回数を超えていない場合に限り、
ユーザーが前記数量を購入することに応じて、当該数量を前記ユーザーの蓄積数に加える、
ことを特徴とする請求項１−４の何れか１項に記載の情報処理装置。
【請求項６】
前記第２蓄積部は、
ユーザーの蓄積数を蓄積可能な所定期間のうちの一部の期間に限り、
ユーザーが前記数量を購入することに応じて、当該数量を前記ユーザーの蓄積数に加える、
ことを特徴とする請求項１−４の何れか１項に記載の情報処理装置。
【請求項７】
前記第２蓄積部は、
前記ユーザー情報記憶部が記憶する前記ユーザーの蓄積数のうち、前記第１蓄積部による蓄積数が、前記目標数よりも少ない所定数に到達した場合に限り、
ユーザーが前記数量を購入することに応じて、当該数量を前記ユーザーの蓄積数に加える、
ことを特徴とする請求項１−４の何れか１項に記載の情報処理装置。
【請求項８】
前記第１蓄積部は、
ユーザーが前記数量を購入した後では、
前記ユーザーが前記抽選ゲームをプレイしても、当該プレイに対応する数量を前記ユーザーの蓄積数に加えない、
ことを特徴とする請求項１−４の何れか１項に記載の情報処理装置。
【請求項９】
前記第１蓄積部は、
ユーザーが有償アイテム及び無償アイテムのうちの有償アイテムを消費してプレイする場合に限り、当該プレイに対応する数量を前記ユーザーの蓄積数に加え、
前記第２蓄積部は、
ユーザーが有償アイテム及び無償アイテムのうちの有償アイテムを消費して前記数量を購入する場合に限り、当該数量を前記ユーザーの蓄積数に加える、
ことを特徴とする請求項２に記載の情報処理装置。
【請求項１０】
コンピューターを、
ユーザーの蓄積数が設定されたユーザー情報を記憶するユーザー情報記憶手段、
ユーザーが第１所定数のアイテムを消費して抽選ゲームをプレイすることに応じて、当該プレイに対応する数量を前記ユーザーの蓄積数に加える第１蓄積手段、
ユーザーが前記第１所定数よりも少ない第２所定数の前記アイテムを消費して前記数量を購入することに応じて、当該数量を前記ユーザーの蓄積数に加える第２蓄積手段、
ユーザーの蓄積数が予め設定された目標数に到達したことによって、前記ユーザーに特典を付与する特典付与手段、
として機能させるためのプログラム。
【発明の詳細な説明】
【技術分野】
【０００１】
本発明は、情報処理装置及びプログラムに関する。
【背景技術】
【０００２】
ユーザーが抽選ゲームを繰り返しプレイすることによって蓄積された蓄積数が、予め設定された目標数に到達したことによって、そのユーザーに対して特典を与える情報処理装置が知られている（たとえば、特許文献１）。
【先行技術文献】
【特許文献】
【０００３】
【特許文献１】特許第６４０２９５３号公報
【発明の概要】
【発明が解決しようとする課題】
【０００４】
抽選ゲームを繰り返しプレイしたにもかかわらず、自分の蓄積数が目標数まで足りない状況となってしまったユーザーを救済する手立てがなかった。そのため、そのようなユーザーは特典の獲得を諦めなければならなかった。
本発明は、このような事情に鑑みてなされたものであり、その目的とするところは、特典の獲得を希望するユーザーを救済することにある。
【課題を解決するための手段】
【０００５】
上記課題を解決するための本発明の主たる発明は、
ユーザーの蓄積数が設定されたユーザー情報を記憶するユーザー情報記憶部と、
ユーザーが抽選ゲームをプレイする度に、そのプレイ分の数量を前記ユーザーの蓄積数に加える第１蓄積部と、
前記抽選ゲームのプレイによらず前記蓄積数を増やすための補充条件をユーザーが満たす度に、前記抽選ゲームの１プレイ分の数量を前記ユーザーの蓄積数に加える第２蓄積部と、
ユーザーの蓄積数が予め設定された目標数に到達したことによって、前記ユーザーに特典を付与する特典付与部と、
を備えた情報処理装置である。
本発明の他の特徴については、本明細書及び添付図面の記載により明らかにする。
【図面の簡単な説明】
【０００６】
【図１】本実施形態に係る情報処理システムの一例を示す構成図である。
【図２】本実施形態に係るコンピューターの一例を示すハードウェア構成図である。
【図３】本実施形態に係るサーバー装置の一例を示す機能ブロック図である。
【図４】キャラクター情報の一例を示す構成図である。
【図５】アイテム情報の一例を示す構成図である。
【図６】抽選ゲーム情報の一例を示す構成図である。
【図７】ユーザー情報の一例を示す構成図である。
【図８】本実施形態に係るクライアント端末の一例を示す機能ブロック図である。
【図９】本実施形態における情報処理システム１の動作例を説明するフローチャートである。
【図１０】特典選択画面の一例を示すイメージ図である。
【発明を実施するための形態】
【０００７】
本明細書及び添付図面の記載により、少なくとも以下の事項が明らかとなる。
即ち、ユーザーの蓄積数が設定されたユーザー情報を記憶するユーザー情報記憶部と、
ユーザーが抽選ゲームをプレイする度に、そのプレイ分の数量を前記ユーザーの蓄積数に加える第１蓄積部と、
前記抽選ゲームのプレイによらず前記蓄積数を増やすための補充条件をユーザーが満たす度に、前記抽選ゲームの１プレイ分の数量を前記ユーザーの蓄積数に加える第２蓄積部と、
ユーザーの蓄積数が予め設定された目標数に到達したことによって、前記ユーザーに特典を付与する特典付与部と、
を備えた情報処理装置である。
このような情報処理装置によれば、ユーザーは、抽選ゲームを繰り返しプレイしたにもかかわらず、目標数の到達まで自分の蓄積数が足りない状況となった場合に、その抽選ゲームをプレイしなくても、補充条件を満たすことによってその不足分を補うことができる。これにより、特典の獲得を希望するユーザーを救済することが可能となる。
【０００８】
また、かかる情報処理装置であって、
前記補充条件とは、ユーザーが前記抽選ゲームの１プレイ分の数量を購入することであり、
前記第２蓄積部は、ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーは、抽選ゲームを繰り返しプレイしたにもかかわらず、目標数の到達まで自分の蓄積数が足りない状況となった場合に、その抽選ゲームをプレイしなくても、その不足分を購入することによって補うことができる。これにより、特典の獲得を希望するユーザーを救済することが可能となる。
【０００９】
また、かかる情報処理装置であって、
前記第１蓄積部は、ユーザーが、有償アイテムを第１数量だけを消費して、前記抽選ゲームをプレイする度に、そのプレイ分の数量を前記ユーザーの蓄積数に加え、
前記第２蓄積部は、ユーザーが、有償アイテムを前記第１数量よりも少ない第２数量だけ消費して、前記抽選ゲームの１プレイ分の数量を購入する度に、前記抽選ゲームの１プレイ分の数量を前記ユーザーの蓄積数に加えることとしても良い。
このような情報処理装置によれば、ユーザーは、抽選ゲームを繰り返しプレイしたにもかかわらず、目標数の到達まで自分の蓄積数が足りない状況となった場合に、その不足分を少ない有償アイテムの消費で購入し補うことができる。これにより、特典の獲得を希望するユーザーをより多く救済することが可能となる。
【００１０】
また、かかる情報処理装置であって、
所定期間が経過する度に、前記ユーザー情報記憶部が記憶する前記ユーザーの蓄積数をリセットするリセット部を備えることとしても良い。
このような情報処理装置によれば、ユーザーが蓄積数を増やすことのできる期間を有限とすることで、ユーザーのプレイ意欲を高めることが可能となる。
【００１１】
また、かかる情報処理装置であって、
前記第１蓄積部は、複数種類の抽選ゲームのうち、予め決められた特定の抽選ゲームをプレイする場合に限り、そのプレイ分の数量を前記ユーザーの蓄積数に加え、
前記第２蓄積部は、ユーザーが前記特定の抽選ゲームの１プレイ分の数量を購入する度に、前記特定の抽選ゲームの１プレイ分の数量を前記ユーザーの蓄積数に加え、
前記特定の抽選ゲームのプレイ可能期間が終了したことによって、前記ユーザー情報記憶部が記憶する前記ユーザーの蓄積数をリセットするリセット部を備えることとしても良い。
このような情報処理装置によれば、ユーザーが蓄積数を増やすことのできる抽選ゲームを限定するとともに、ユーザーが蓄積数を増やすことのできる期間を有限とすることで、ユーザーをゲームプレイに集中させることが可能となる。
【００１２】
また、かかる情報処理装置であって、
前記第２蓄積部は、
これまでにユーザーが購入した前記抽選ゲームの１プレイ分の数量の合計量が、ユーザーが購入可能な最大量を超えていない場合に限り、
ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーが購入することのできる数量を有限とすることで、ユーザーが容易に特典を獲得できないように抑制することが可能となる。
【００１３】
また、かかる情報処理装置であって、
前記第２蓄積部は、
これまでにユーザーが前記抽選ゲームの１プレイ分の数量を購入した合計回数が、ユーザーが購入可能な最大回数を超えていない場合に限り、
ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーが数量を購入することのできる回数を有限とすることで、ユーザーが容易に特典を獲得できないように抑制することが可能となる。
【００１４】
また、かかる情報処理装置であって、
前記第２蓄積部は、
ユーザーの蓄積数を蓄積可能な所定期間のうちの一部の期間に限り、
ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーが数量を購入することのできる期間を有限とすることで、ユーザーが容易に特典を獲得できないように抑制することが可能となる。
【００１５】
また、かかる情報処理装置であって、
前記第２蓄積部は、
前記ユーザー情報記憶部が記憶する前記ユーザーの蓄積数のうち、前記第１蓄積部による蓄積数が、前記目標数よりも少ない所定数に到達した場合に限り、
ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーが優先的に抽選ゲームを繰り返すことによって蓄積数を増やすようになる。
【００１６】
また、かかる情報処理装置であって、
前記第１蓄積部は、
ユーザーが前記抽選ゲームの１プレイ分の数量を購入した後では、
前記ユーザーが前記抽選ゲームをプレイしても、そのプレイ分の数量を前記ユーザーの蓄積数に加えないこととしても良い。
このような情報処理装置によれば、ユーザーが、購入によって蓄積数を増やすことよりも、抽選ゲームの繰り返しによって蓄積数を増やすことを、優先的に行うようになる。
【００１７】
また、かかる情報処理装置であって、
前記第１蓄積部は、
ユーザーが有償アイテム及び無償アイテムのうちの有償アイテムを消費してプレイする場合に限り、
前記ユーザーが前記抽選ゲームをプレイする度に、そのプレイ分の数量を前記ユーザーの蓄積数に加え、
前記第２蓄積部は、
ユーザーが有償アイテム及び無償アイテムのうちの有償アイテムを消費して購入する場合に限り、
前記ユーザーが前記抽選ゲームの１プレイ分の数量を購入する度に、前記抽選ゲームの１プレイ分の数量を前記ユーザーの蓄積数に加えることとしても良い。
このような情報処理装置によれば、ユーザーは、抽選ゲームの繰り返しによって蓄積数を増やす場合も、購入によって蓄積数を増やすこと場合も、無償アイテムではなく有償アイテムを消費しなければならない。そのため、両者のバランスを維持することができる。
【００１８】
また、かかる情報処理装置であって、
前記補充条件とは、ユーザーが前記抽選ゲームとは異なる他の抽選ゲームをプレイすることであり、
前記第２蓄積部は、ユーザーが前記抽選ゲームとは異なる他の抽選ゲームをプレイする度に、前記抽選ゲームの１プレイ分の数量を前記ユーザーの蓄積数に加えることとしても良い。
このような情報処理装置によれば、ユーザーは、抽選ゲームを繰り返しプレイしたにもかかわらず、目標数の到達まで自分の蓄積数が足りない状況となった場合に、その抽選ゲームをプレイしなくても、他の抽選ゲームをプレイすることによってその不足分を補うことができる。これにより、特典の獲得を希望するユーザーを救済することが可能となる。
【００１９】
また、かかる情報処理装置であって、
前記第１蓄積部は、ユーザーが、有償アイテムを第１数量だけを消費して、前記抽選ゲームをプレイする度に、そのプレイ分の数量を前記ユーザーの蓄積数に加え、
前記第２蓄積部は、ユーザーが、有償アイテムを前記第１数量よりも少ない第２数量だけ消費して、前記他の抽選ゲームをプレイする度に、前記抽選ゲームの１プレイ分の数量を前記ユーザーの蓄積数に加えることとしても良い。
このような情報処理装置によれば、ユーザーは、抽選ゲームを繰り返しプレイしたにもかかわらず、目標数の到達まで自分の蓄積数が足りない状況となった場合に、その不足分を少ない有償アイテムの消費で他の抽選ゲームをプレイし補うことができる。これにより、特典の獲得を希望するユーザーをより多く救済することが可能となる。
【００２０】
また、かかる情報処理装置であって、
前記抽選ゲームで抽選される景品のレアリティの階級幅が、前記他の抽選ゲームで抽選される景品のレアリティの階級幅よりも小さいこととしても良い。
このような情報処理装置によれば、ユーザーが、他の抽選ゲームの繰り返しによって蓄積数を増やすことよりも、抽選ゲームの繰り返しによって蓄積数を増やすことを、優先的に行うようになる。
【００２１】
また、かかる情報処理装置であって、
前記補充条件とは、ユーザーが１つのアイテムを使用することであり、
前記第２蓄積部は、ユーザーが１つのアイテムを使用する度に、前記抽選ゲームの１プレイ分の数量を前記ユーザーの蓄積数に加えることとしても良い。
このような情報処理装置によれば、ユーザーは、抽選ゲームを繰り返しプレイしたにもかかわらず、目標数の到達まで自分の蓄積数が足りない状況となった場合に、その抽選ゲームをプレイしなくても、アイテムを使用することによってその不足分を補うことができる。これにより、特典の獲得を希望するユーザーを救済することが可能となる。
【００２２】
次に、コンピューターを、
ユーザーの蓄積数が設定されたユーザー情報を記憶するユーザー情報記憶手段、
ユーザーが抽選ゲームをプレイする度に、そのプレイ分の数量を前記ユーザーの蓄積数に加える第１蓄積手段、
前記抽選ゲームのプレイによらず前記蓄積数を増やすための補充条件をユーザーが満たす度に、前記抽選ゲームの１プレイ分の数量を前記ユーザーの蓄積数に加える第２蓄積手段、
ユーザーの蓄積数が予め設定された目標数に到達したことによって、前記ユーザーに特典を付与する特典付与手段、
として機能させるためのプログラムである。
このようなプログラムによれば、特典の獲得を希望するユーザーを救済することが可能となる。
【００２３】
＝＝＝実施形態＝＝＝
以下では、本発明の実施形態に係る情報処理装置、プログラム、及び情報処理システムについて詳細に説明する。なお本発明は、少なくとも抽選ゲームを採用する情報処理装置、プログラム、及び情報処理システム等に広く適用できる。また以下では、抽選ゲームのプレイによらず蓄積数を増やすための補充条件が、ユーザーが抽選ゲームの１プレイ分の数量を購入することである場合を例に挙げて、具体的に説明する。
【００２４】
＜＜システム構成＞＞
図１は、本実施形態に係る情報処理システム１の一例を示す構成図である。図１に示すように、本実施形態に係る情報処理システム１は、１台以上のクライアント端末１０とサーバー装置２０とがネットワークＮを介して接続されている。
【００２５】
クライアント端末１０は、ユーザーが操作するスマートフォン、タブレット、ＰＣなどの端末装置や、家庭用や業務用のゲーム専用機器などの端末装置である。サーバー装置２０は、クライアント端末１０でユーザーにより行われるゲームの管理や制御、ゲーム内での課金処理等を行う。ネットワークＮは、インターネット等であって、移動無線基地局などを含む。
【００２６】
なお、本発明は図１に示すクライアント・サーバー型の情報処理システム１の他、ゲーム内での課金処理を行う仕組みを別途設けることで単体のゲーム装置においても適用可能である。図１の情報処理システム１は一例であって用途や目的に応じて様々なシステム構成例があることは言うまでもない。例えば、図１のサーバー装置２０は複数のコンピューターに分散して構成してもよい。
【００２７】
＜＜ハードウェア構成＞＞
＜クライアント端末及びサーバー装置＞
図２は、本実施形態に係るコンピューター５０の一例を示すハードウェア構成図である。本実施形態に係るクライアント端末１０及びサーバー装置２０は、例えば図２に示すハードウェア構成のコンピューター５０により実現される。なお、コンピューター５０は情報処理装置の一例である。
【００２８】
コンピューター５０は、図２に示すように、ＣＰＵ５１、ＲＡＭ５２、ＲＯＭ５３、通信インタフェース５４、入力装置５５、表示装置５６、外部インタフェース５７、及びＨＤＤ５８などを備えており、それぞれがバスラインＢで相互に接続されている。なお、入力装置５５及び表示装置５６は必要なときに接続して利用する形態であってもよい。
【００２９】
ＣＰＵ５１は、ＲＯＭ５３やＨＤＤ５８などの記憶装置からプログラムやデータをＲＡＭ５２上に読み出し、読み出したプログラムやデータに基づく各種処理を実行することによって、コンピューター全体の制御や機能を実現する演算装置である。
【００３０】
ＲＡＭ５２は、プログラムやデータを一時保持するための揮発性の半導体メモリ（記憶装置）の一例であり、ＣＰＵ５１が各種処理を実行する際のワークエリアとしても利用される。
【００３１】
ＲＯＭ５３は、電源を切ってもプログラムやデータを保持することができる不揮発性の半導体メモリ（記憶装置）の一例である。ＲＯＭ５３には、コンピューター５０の起動時に実行されるＢＩＯＳ、ＯＳ設定、及びネットワーク設定などのプログラムやデータが格納されている。
【００３２】
通信インタフェース５４は、コンピューター５０をネットワークＮに接続するためのインタフェースである。これにより、コンピューター５０は通信インタフェース５４を介してデータ通信を行うことができる。
【００３３】
入力装置５５は、ユーザー又は管理者が各種信号を入力するのに用いる装置である。本実施形態における入力装置５５は、例えば、タッチパネル、操作キーやボタン、キーボードやマウスなどの操作装置である。
【００３４】
表示装置５６は、ユーザー又は管理者に対して各種情報を画面表示するための装置である。本実施形態における表示装置５６は、例えば、液晶や有機ＥＬなどのディスプレイである。
【００３５】
外部インタフェース５７は、外部装置とデータ通信可能に接続するためのインタフェースである。これにより、コンピューター５０は外部インタフェース５７を介して記録媒体の読み取り及び／又は書き込みを行うことができる。外部装置は、例えば、フレキシブルディスク、ＣＤ、ＤＶＤ、ＳＤメモリカード、ＵＳＢメモリなどの記録媒体である。
【００３６】
ＨＤＤ５８は、プログラムやデータを格納している不揮発性の記憶装置の一例である。格納されるプログラムやデータには、コンピューター全体を制御する基本ソフトウェアであるＯＳ、及びＯＳ上において各種機能を提供するアプリケーションなどがある。
【００３７】
なお、ＨＤＤ５８に替えて、記憶媒体としてフラッシュメモリを用いるドライブ装置（例えばソリッドステートドライブ：ＳＳＤ）を利用してもよい。
【００３８】
本実施形態に係るクライアント端末１０及びサーバー装置２０は、上述したハードウェア構成のコンピューター５０においてプログラムを実行することにより、後述するような各種処理を実現できる。
【００３９】
＜＜ソフトウェア構成＞＞
＜サーバー装置＞
図３は、本実施形態に係るサーバー装置２０の一例を示す機能ブロック図である。本実施形態に係るサーバー装置２０は、例えば図３に示す機能ブロックにより実現される。
【００４０】
本実施形態に係るサーバー装置２０は、プログラムを実行することにより、サーバー制御部２００、サーバー記憶部２２０、及びサーバー通信部２４０を実現する。
【００４１】
サーバー制御部２００は、各種ゲームに関する処理を実行する機能を有する。このサーバー制御部２００は、ゲーム進行部２０１、抽選部２０２、第１蓄積部２０３、販売部２０４、第２蓄積部２０５、特典付与部２０６、リセット部２０７、及び表示制御部２０８を含む。
【００４２】
ゲーム進行部２０１は、クライアント端末１０がユーザーから受け付けたゲーム操作に基づいて、各種ゲーム（抽選ゲームや対戦ゲーム等）を進行させる。本実施形態におけるゲーム進行部２０１は、抽選によって決定された景品をユーザーに対して付与するための抽選ゲームを進行させる。
【００４３】
抽選部２０２は、ユーザーが抽選ゲームをプレイするときに、抽選対象となる複数の景品の中から、そのユーザーに獲得させる景品を抽選によって決定する。本実施形態における抽選部２０２は、ユーザーが通常の抽選ゲームを１回プレイする場合に、そのユーザーの所持する無償アイテム（「非課金アイテム」とも称する）を消費することによって、コンテンツの一例としてのキャラクターを１つ抽選し、景品としてそのユーザーに付与する。これに対して、ユーザーが特別な抽選ゲーム（予め決められた特定の抽選ゲーム）を１回プレイする場合には、そのユーザーの所持する有償アイテム（「課金アイテム」とも称する）を消費することによって、コンテンツの一例としてのキャラクターを１つ抽選し、景品としてそのユーザーに付与する。
【００４４】
第１蓄積部２０３は、ユーザーが抽選ゲームを繰り返しプレイしたことにより、ユーザーの蓄積数を蓄積する。本実施形態における第１蓄積部２０３は、ユーザーが特別な抽選ゲームを１回プレイする度に、景品とは別に特別アイテムを１つ付与することによって、その１プレイ分の特別アイテムの個数（抽選ゲーム１プレイ分の数量）を、そのユーザーの獲得数（蓄積数）に加える。例えば、ユーザーが１回プレイすれば、その１プレイ分のアイテム数として１ポイントがそのユーザーの獲得数に加算され、ユーザーが連続で１０プレイすれば、そのユーザーの獲得数に１０ポイントがまとめて加算される。
【００４５】
販売部２０４は、抽選ゲーム１プレイ分の数量をユーザーに購入させる。本実施形態における販売部２０４は、ユーザーの所持する有償アイテムを消費することによって、特別な抽選ゲーム１プレイ分の特別アイテムの個数（つまり、１プレイ分のアイテム数）を販売する。
【００４６】
第２蓄積部２０５は、抽選ゲームのプレイによらず蓄積数を増やすための補充条件をユーザーが満したことにより、ユーザーの蓄積数を蓄積する。本実施形態における第２蓄積部２０５は、補充条件として、ユーザーが抽選ゲーム１プレイ分の数量（１プレイ分のアイテム数）を購入する度に、その１プレイ分のアイテム数と同量（つまり、１ポイント）を、そのユーザーの獲得数に加える。例えば、ユーザーが１プレイ分のアイテム数を購入すれば、特別な抽選ゲームをプレイしなくても、そのユーザーの獲得数に１ポイントが加算される。
【００４７】
特典付与部２０６は、ユーザーの蓄積数が予め設定された目標数に到達したことによって、そのユーザーに特典を付与する。本実施形態における特典付与部２０６は、例えば目標数が「３００」に事前設定されているとすると、ユーザーの獲得数が「３００」に到達したことによって、特典として豪華な景品がそのユーザーに付与される。
【００４８】
リセット部２０７は、これまでに蓄積されたユーザーの蓄積数について初期設定を行う。本実施形態におけるリセット部２０７は、例えば、抽選ゲームのプレイ可能期間（例えば、イベント期間）が終了したことによって、ユーザーの蓄積数をリセットする。
【００４９】
表示制御部２０８は、例えば、ゲーム進行部２０１が制御する抽選ゲーム（通常の抽選ゲーム、特別な抽選ゲーム等）の進行状況等に従い、各種画面のデータを生成することによって、クライアント端末１０の画面表示を制御する。
【００５０】
サーバー記憶部２２０は、抽選ゲームに関する情報を記憶する機能を有する。このサーバー記憶部２２０は、キャラクター情報記憶部２２１、アイテム情報記憶部２２２、抽選ゲーム情報記憶部２２３、及びユーザー情報記憶部２２４を含む。
【００５１】
キャラクター情報記憶部２２１は、コンテンツ情報記憶部の一例であって、コンテンツの一例としてのキャラクターに関するキャラクター情報（コンテンツ情報）を記憶している。キャラクター情報記憶部２２１が記憶するキャラクター情報は、以下に示す各種データによって構成されている。
【００５２】
図４は、キャラクター情報の一例を示す構成図である。図４に示すキャラクター情報は、項目としてキャラクターＩＤ、名称、レアリティ、抽選確率、能力パラメーター等を有する。
【００５３】
キャラクターＩＤは、キャラクターを一意に識別するための情報である。名称は、キャラクター名を示す情報である。レアリティは、キャラクターの希少価値を示す情報である。ここでは、複数階級のレアリティのうちのいずれかの階級が初期設定されている。本実施形態では、レアリティ「１」〜「５」までの５段階の設定が可能である。なお、レアリティの階級幅は、５段階に限られるものではなく、４段階以下であってもよいし、６段階以上であってもよい。
【００５４】
抽選確率は、キャラクターを景品としてユーザーが獲得できる確率（当選確率）を示す情報である。ここでは、レアリティの高いキャラクターであるほど低い抽選確率が設定されている。能力パラメーターは、キャラクターが持つ能力を示す情報である。ここでは、攻撃、防御、ＨＰ（hit point）等の能力値が初期設定されている。
【００５５】
アイテム情報記憶部２２２は、ゲームで使用されるアイテムに関するアイテム情報を記憶している。アイテム情報記憶部２２２が記憶するアイテム情報は、以下に示す各種データによって構成されている。
【００５６】
図５は、アイテム情報の一例を示す構成図である。図５に示すアイテム情報は、項目としてアイテムＩＤ、名称、アイテム効果、販売価格等を有する。
【００５７】
アイテムＩＤは、各種アイテムを一意に識別するための情報である。名称は、アイテム名を示す情報である。アイテム効果は、アイテムが使用されたことによって発揮される効果を示す情報である。
【００５８】
販売価格は、ユーザーがアイテムを購入するときの金額を示す情報である。ここでは、特別な抽選ゲームをプレイするために必要となる有償アイテムが設定されている。ユーザーは電子マネー等によって有償アイテムを購入することができる。
【００５９】
抽選ゲーム情報記憶部２２３は、各種抽選ゲームに関する抽選ゲーム情報を記憶している。この抽選ゲーム情報記憶部２２３が記憶する抽選ゲーム情報の構成については、以下のとおりである。
【００６０】
図６は、抽選ゲーム情報の一例を示す構成図である。図６に示す抽選ゲーム情報は、項目として抽選ゲームＩＤ、種類、消費アイテム、抽選ゲームで獲得可能な景品、特典として獲得可能な景品等を有する。
【００６１】
抽選ゲームＩＤは、抽選ゲームを一意に識別するための情報である。種類は、抽選ゲームの種類を示す情報である。ここでは、通常の抽選ゲーム及び特別な抽選ゲームのうち、いずれか一方が設定されており、さらに特別な抽選ゲームについては１種類のみ設定されている。
【００６２】
消費アイテムは、抽選ゲームを１回プレイするときに消費されるアイテムの種類と数量を示す情報である。ここでは、通常の抽選ゲームをプレイするときに、無償アイテムが使用可能となっているのに対し、特別な抽選ゲームをプレイするときには、有償アイテムが使用可能となっている。
【００６３】
抽選ゲームで獲得可能な景品は、ユーザーが景品として獲得することのできるキャラクターを示す情報である。特典として獲得可能な景品は、ユーザーが特典として獲得することのできるキャラクターを示す情報である。なお、抽選ゲームで獲得可能な景品と、特典として獲得可能な景品が、共通していてもよい。
【００６４】
ユーザー情報記憶部２２４は、ユーザーに関するユーザー情報を記憶している。ユーザー情報記憶部２２４が記憶するユーザー情報は、以下に示す各種データによって構成されている。
【００６５】
図７は、ユーザー情報の一例を示す構成図である。図７に示すユーザー情報は、項目としてユーザーＩＤ、所持キャラクター、有償アイテムの所持数、無償アイテムの所持数、特別アイテムの獲得数等を有する。
【００６６】
ユーザーＩＤは、ユーザーを一意に識別するための情報である。所持キャラクターは、キャラクター情報記憶部２２１が記憶するキャラクター情報に設定された複数キャラクターのうち、現時点においてユーザーが所持する１又は複数の各種キャラクターを示す情報である。ここでは、図中にて括弧書きで示すように、現時点における所持キャラクターの能力パラメーター（攻撃力、防御力、ＨＰ等）も併せて設定されている。
【００６７】
有償アイテムの所持数は、現時点においてユーザーが所持する有償アイテムの数量を示す情報である。無償アイテムの所持数は、現時点においてユーザーが所持する無償アイテムの数量を示す情報である。特別アイテムの獲得数は、これまでにユーザーが獲得した特別アイテムの数量を示す情報である。
【００６８】
サーバー通信部２４０は、ネットワークＮを介してクライアント端末１０との通信を行う機能を有する。
【００６９】
＜クライアント端末＞
図８は、本実施形態に係るクライアント端末１０の一例を示す機能ブロック図である。本実施形態に係るクライアント端末１０は、例えば図８に示す機能ブロックにより実現される。
【００７０】
本実施形態に係るクライアント端末１０は、プログラムを実行することにより、クライアント制御部１００、クライアント記憶部１２０、クライアント通信部１４０、操作受付部１５０、画面表示部１６０を実現する。クライアント制御部１００は、要求送信部１０１、応答受信部１０２を含む。
【００７１】
操作受付部１５０は、クライアント端末１０を操作するユーザーからの操作を受け付ける。また、クライアント制御部１００は、クライアント端末１０におけるゲームに関する処理を行う。要求送信部１０１は、操作受付部１５０がユーザーから受け付けた操作の内容に基づき、サーバー装置２０に対して要求を送信する。応答受信部１０２は、要求送信部１０１がサーバー装置２０に対して送信した要求に対する処理結果などの応答を受信する。
【００７２】
また、クライアント記憶部１２０は、クライアント端末１０において必要となる各種情報を記憶する。クライアント通信部１４０は、サーバー装置２０との通信を行う。画面表示部１６０は、サーバー装置２０からの制御に従い、クライアント端末１０の画面表示を行う。
【００７３】
なお、クライアント端末１０のクライアント制御部１００は、ＨＴＭＬ（Hyper Text Markup Language）等で記載されたページデータやページデータ内に含まれるスクリプトなどをサーバー装置２０から受信して、ゲームに関する処理を行うブラウザ型がある。また、クライアント端末１０のクライアント制御部１００は、インストールされたアプリケーションに基づいて、ゲームに関する処理を行うアプリケーション型がある。
【００７４】
また、図１に示す情報処理システム１は複数のクライアント端末１０と１つのサーバー装置２０とにより構成される例を説明したが、このシステム構成に限定されるものではない。また、図３に示すサーバー装置２０の機能ブロック及び図８に示すクライアント端末１０の機能ブロックの構成も一例である。例えば、クライアント端末１０の機能の一部はサーバー装置２０により実現してもよい。また、サーバー装置２０の機能の一部はクライアント端末１０により実現してもよい。
【００７５】
また、クライアント端末１０及びサーバー装置２０以外の他の装置が、クライアント端末１０及びサーバー装置２０の機能の一部を担うように構成してもよい。なお、大局的に見れば、図３に示したサーバー装置２０の各機能と図８クライアント端末１０の各機能との集合体は１つの情報処理装置として把握することも可能である。１つ又は複数のハードウェアに対して本発明を実現するために必要な複数の機能をどのように配分するかは、各ハードウェアの処理能力やシステムに求められる仕様などに鑑みて適宜決定することができる。
【００７６】
＜＜システム概要＞＞
ここでは、本実施形態におけるシステムの概要について説明する。本実施形態におけるシステムにて提供されるゲームには、抽選ゲーム及び対戦ゲームが含まれている。
【００７７】
本実施形態における抽選ゲームは、ユーザーの所持する有償アイテムや無償アイテムを消費する（使用する）ことを条件に、景品となるキャラクターを抽選で決定し、そのユーザーに獲得させるゲームである。この抽選ゲームでは、抽選候補となる複数のキャラクターの中から、それぞれのキャラクターに設定された抽選確率に基づいて、ユーザーに付与するいずれかのキャラクターを決定する。
【００７８】
本実施形態では、通常の抽選ゲームだけでなく、特別な抽選ゲームが用意されている。ただし、特別な抽選ゲームはイベント期間に限ってプレイ可能となっている。通常の抽選ゲームでは、ユーザーは自分の無償アイテムを消費することによって、抽選で決定されたいずれかのキャラクターを景品として獲得することができる。
【００７９】
これに対して、特別な抽選ゲームでは、ユーザーは自分の有償アイテムを消費することによって、抽選で決定されたいずれかのキャラクターを景品として獲得することができ、さらに、それとは別に特別アイテムも獲得することができる。つまり、ユーザーは、特別な抽選ゲームをプレイすればするほど、特別アイテムの獲得数を増やすことができるようになっている。
【００８０】
そして、ユーザーは、そのようにしてイベント期間に特別な抽選ゲームを繰り返しプレイした結果、特別アイテムの獲得数が予め決定された目標数に到達することができれば、レアリティの高いキャラクターを特典として獲得することができる。ところが、ユーザーは、イベント期間に特別な抽選ゲームを繰り返しプレイしたにもかかわらず、特別アイテムの獲得数が目標数に到達することができなければ、その目標数まで僅かに足りない場合であったとしても、特典を獲得することができなくなってしまう。
【００８１】
そこで、本実施形態では、ユーザーは自分の有償アイテムを消費することによって、１プレイ分のアイテム数（抽選ゲームの１プレイ分の数量）を購入することができるようになっている。そのため、ユーザーは、その１プレイ分のアイテム数を購入すれば、特別な抽選ゲームをプレイしなくても、特別アイテムの獲得数を増やすことができるようになっている。
【００８２】
このように、ユーザーは、イベント期間において特別の抽選ゲームを繰り返しプレイしたにもかかわらず、特別アイテムの獲得数が目標数に足りない状況となった場合に、特別の抽選ゲームをプレイしなくても、その不足分を購入することによって補うことができる。これにより、特典の獲得を希望するユーザーを救済することが可能となる。
【００８３】
本実施形態における対戦ゲームは、ユーザーに対して対戦相手となるキャラクターを出現させ、その対戦相手となるキャラクターとユーザーの所持するキャラクターを対戦させるゲームである。ユーザーは、自らの所持するキャラクター（抽選ゲームで獲得したキャラクター等）の中からいずれかのキャラクターを選択し、対戦相手となるキャラクターとの対戦に挑むことができる。
【００８４】
＜＜システム動作＞＞
図９は、本実施形態における情報処理システム１の動作例を説明するフローチャートである。
【００８５】
サーバー装置２０のゲーム進行部２０１は、クライアント端末１０からユーザーのイベントへの参加要求を受け付けると、イベント期間（つまり、特別な抽選ゲームのプレイ可能な期間）が終了したか否かを判定する（ステップＳ１１）。本実施形態におけるイベント期間は、予め決定されたイベント開始日から５日間に設定されている。
【００８６】
サーバー装置２０のゲーム進行部２０１は、イベント期間が終了したと判定した場合に（ステップＳ１１：「ＹＥＳ」）、後述するステップＳ２０へ処理を進める。これに対して、イベント期間が終了していないと判定した場合には（ステップＳ１１：「ＮＯ」）、次のステップＳ１２へ処理を進める。
【００８７】
次に、サーバー装置２０のゲーム進行部２０１は、イベント期間が終了していない場合に、メニュー画面をクライアント端末１０に表示させるように表示制御部２０８に対して画面表示制御の実行を要求する。サーバー装置２０の表示制御部２０８は、ゲーム進行部２０１から画面表示制御の実行を要求されると、メニュー画面をクライアント端末１０の画面表示部１６０に表示させる制御を行う（ステップＳ１２）。
【００８８】
イベントに参加するユーザーは、クライアント端末１０の画面表示部１６０にメニュー画面（不図示）が表示されているときに、特別な抽選ゲームをプレイするためのゲーム操作、又は、特別な抽選ゲーム１プレイ分のアイテム数を購入するための購入操作をクライアント端末１０に対して行うことができる。このメニュー画面にてユーザーのゲーム操作又は購入操作が行われると、クライアント端末１０の操作受付部１５０はユーザーの操作に基づく操作内容を受け付ける。クライアント端末１０の要求送信部１０１は、操作受付部１５０がユーザーから受け付けた操作内容に基づき、ゲーム開始要求又は購入開始要求をサーバー装置２０に対して送信する。
【００８９】
次に、サーバー装置２０のゲーム進行部２０１は、クライアント端末１０からゲーム開始要求を受け付けたか否かを判定する（ステップＳ１３）。サーバー装置２０のゲーム進行部２０１は、クライアント端末１０からゲーム開始要求を受け付けなかったと判定した場合、つまり、購入開始要求を受け付けたと判定した場合に（ステップＳ１３：「ＮＯ」）、後述するステップＳ２１へ処理を進める。これに対して、クライアント端末１０からゲーム開始要求を受け付けたと判定した場合に（ステップＳ１３：「ＹＥＳ」）、次のステップＳ１４へ処理を進める。
【００９０】
次に、サーバー装置２０のゲーム進行部２０１は、クライアント端末１０からゲーム開始要求を受け付けた場合には、抽選部２０２に対して特別な抽選ゲームに関する抽選処理の実行を要求する。サーバー装置２０の抽選部２０２は、ゲーム進行部２０１から抽選処理の実行を要求されると、特別な抽選ゲームについての抽選を行う（ステップＳ１４）。
【００９１】
すなわち、サーバー装置２０の抽選部２０２は、ユーザー情報記憶部２２４が記憶するユーザー情報を参照して、そのゲームプレイを要求するユーザーのユーザー情報を特定し、その特定されたユーザー情報に設定された有償アイテムの所持数から、１プレイ分の有償アイテムの数量を消費する。本実施形態では、プレイ料金として、有償アイテムの所持数から、１プレイ分の有償アイテムを１ポイントだけ減じる。
【００９２】
そして、サーバー装置２０の抽選部２０２は、抽選ゲーム情報記憶部２２３が記憶する抽選ゲーム情報、及び、キャラクター情報記憶部２２１が記憶するキャラクター情報を参照して、特別な抽選ゲームにおいて獲得可能な景品となるキャラクターを特定し、その特定された各キャラクターの抽選確率に基づき、景品としてユーザーに付与するキャラクターを１つ決定する。その後、サーバー装置２０の抽選部２０２は、そのユーザーに関連付けられたユーザー情報について更新を行って、その付与されたキャラクターを所持キャラクターとして設定する。
【００９３】
次に、サーバー装置２０のゲーム進行部２０１は、このようにして抽選で決定されたキャラクターが景品としてユーザーに付与されると、第１蓄積部２０３に対して特別アイテムに関するアイテム処理の実行を要求する。サーバー装置２０の第１蓄積部２０３は、ゲーム進行部２０１からアイテム処理の実行を要求されると、ユーザーが特別な抽選ゲームをプレイしたことに伴い、そのユーザーに対して１つの特別アイテムを別途付与する（ステップＳ１５）。
【００９４】
すなわち、サーバー装置２０の第１蓄積部２０３は、このようにして特別アイテムがユーザーに付与されることにより、ユーザー情報記憶部２２４が記憶するユーザー情報を参照して、その特別アイテムが付与されたユーザーのユーザー情報を特定し、その特定されたユーザー情報に設定された特別アイテムの獲得数に、その抽選ゲーム１プレイ分の特別アイテムの個数（つまり、１ポイント）を加算する。
【００９５】
次に、サーバー装置２０のゲーム進行部２０１は、そのユーザーの特別アイテムの獲得数に対して、特別な抽選ゲームのプレイによって１プレイ分のアイテム数が加算されると、その特別アイテムの獲得数が予め決定された目標数に到達したか否かを判定する（ステップＳ１６）。本実施形態では、予め決定された目標数である「３００」に到達したか否かが判定される。
【００９６】
サーバー装置２０のゲーム進行部２０１は、その特別アイテムの獲得数が予め決定された目標数に到達しない場合に（ステップＳ１６：「ＮＯ」）、上述したステップＳ１１に戻って、再びイベント期間に関する判定処理を行う。これに対して、その特別アイテムの獲得数が予め決定された目標数に到達した場合には（ステップＳ１６：「ＹＥＳ」）、次のステップＳ１７へ処理を進める。
【００９７】
次に、サーバー装置２０のゲーム進行部２０１は、そのユーザーの特別アイテムの獲得数が目標数に到達すると、ユーザーに特典を選択させるための特典選択画面をクライアント端末１０に表示させるように表示制御部２０８に対して画面表示制御の実行を要求する。サーバー装置２０の表示制御部２０８は、ゲーム進行部２０１から画面表示制御の実行を要求されると、特典選択画面をクライアント端末１０の画面表示部１６０に表示させる制御を行う（ステップＳ１７）。
【００９８】
図１０は、特典選択画面の一例を示すイメージ図である。この特典選択画面５００には、抽選ゲーム情報に設定された特典として獲得可能な景品が一覧表示された特典リスト表示領域５０１と、特典として獲得可能な景品のそれぞれに対応付けて表示されたラジオボタン５０２と、景品の選択を確定させるための操作ボタン５０３が表示されている。
【００９９】
このように、クライアント端末１０の画面表示部１６０に特典選択画面５００が表示されているときに、ユーザーが希望の景品となるキャラクターをラジオボタン５０２で選択した上で、操作ボタン５０３を選択することによって景品選択を確定するためのゲーム操作をクライアント端末１０に対して行うことができる。
【０１００】
クライアント端末１０の操作受付部１５０は、この特典選択画面５００にてユーザーのゲーム操作が行われると、ユーザーのゲーム操作に基づく操作内容を受け付ける。クライアント端末１０の要求送信部１０１は、操作受付部１５０がユーザーから受け付けた操作内容に基づき、そのユーザーによって選択された特典に関する特典要求をサーバー装置２０に対して送信する。
【０１０１】
図９に戻り、サーバー装置２０のゲーム進行部２０１は、クライアント端末１０から特典要求を受け付けたか否かを判定する（ステップＳ１８）。サーバー装置２０のゲーム進行部２０１は、特典要求を受け付けていないと判定した場合に（ステップＳ１８：「ＮＯ」）、そのまま待機する。これに対して、クライアント端末１０から特典要求を受け付けたと判定した場合に（ステップＳ１８：「ＹＥＳ」）、次のステップＳ１９へ処理を進める。
【０１０２】
次に、サーバー装置２０のゲーム進行部２０１は、クライアント端末１０から特典要求を受け付けると、特典付与部２０６に対して特典付与処理の実行を要求する。サーバー装置２０の特典付与部２０６は、ゲーム進行部２０１から特典付与処理の実行を要求されると、特典選択画面５００にてユーザーが選択した特典を付与する（ステップＳ１９）。
【０１０３】
すなわち、サーバー装置２０の特典付与部２０６は、抽選ゲーム情報記憶部２２３が記憶する抽選ゲーム情報を参照して、特典として獲得可能な景品となるキャラクターのうち、特典選択画面５００にてユーザーが選択した特典となるキャラクターを特定する。その後、サーバー装置２０の特典付与部２０６は、ユーザー情報記憶部２２４が記憶するユーザー情報を参照して、その特典の獲得を要求するユーザーのユーザー情報を特定し、その特定されたユーザー情報について更新を行って、その特定された特典となるキャラクターを所持キャラクターとして設定する。
【０１０４】
次に、サーバー装置２０のゲーム進行部２０１は、リセット部２０７に対してリセット処理の実行を要求する。サーバー装置２０のリセット部２０７は、ゲーム進行部２０１からリセット処理の実行を要求されると、そのユーザーの特別アイテムの獲得数をリセットする（ステップＳ２０）。
【０１０５】
すなわち、サーバー装置２０のリセット部２０７は、ユーザー情報記憶部２２４が記憶するユーザー情報を参照して、そのユーザーのユーザー情報を特定し、その特定されたユーザー情報について更新を行って、特別アイテムの獲得数を初期値に戻す。本実施形態では、特別アイテムの獲得数は「０」にリセットされる。
【０１０６】
その一方で、サーバー装置２０のゲーム進行部２０１は、上述したステップＳ１３の判定処理により、クライアント端末１０からゲーム開始要求を受け付けなかったと判定した場合、つまり、購入開始要求を受け付けたと判定した場合には、販売部２０４に対して特別アイテムの獲得数に関する販売処理の実行を要求する。サーバー装置２０の販売部２０４は、ゲーム進行部２０１から販売処理の実行を要求されると、特別な抽選ゲーム１プレイ分の特別アイテムの個数（１プレイ分のアイテム数）を販売する（ステップＳ２１）。
【０１０７】
すなわち、サーバー装置２０の販売部２０４は、ユーザー情報記憶部２２４が記憶するユーザー情報を参照して、その購入を要求するユーザーのユーザー情報を特定し、その特定されたユーザー情報に設定された有償アイテムの所持数から、１プレイ分のアイテム数に相当する有償アイテムの数量を消費する。本実施形態では、購入料金として、有償アイテムの所持数から、１プレイ分のアイテム数に相当する有償アイテムを１ポイントだけ減じる。
【０１０８】
次に、サーバー装置２０のゲーム進行部２０１は、このようにして特別な抽選ゲーム１プレイ分の特別アイテムの個数をユーザーに販売すると、第２蓄積部２０５に対して特別アイテムに関するアイテム処理の実行を要求する。サーバー装置２０の第２蓄積部２０５は、ゲーム進行部２０１からアイテム処理の実行を要求されると、特別な抽選ゲーム１プレイ分の特別アイテムの個数をユーザーが購入したことに伴い、その１プレイ分のアイテム数を付与する（ステップＳ２２）。
【０１０９】
すなわち、サーバー装置２０の第２蓄積部２０５は、このようにしてその１プレイ分のアイテム数がユーザーに付与されることにより、ユーザー情報記憶部２２４が記憶するユーザー情報を参照して、その購入したユーザーのユーザー情報を特定し、その特定されたユーザー情報に設定された特別アイテムの獲得数に、その１プレイ分のアイテム数（つまり、１ポイント）を加算する。すなわち、ユーザーは、その１プレイ分のアイテム数を購入することによって、特別な抽選ゲームを実際にプレイしなくても、特別アイテムの獲得数を増やすことができることになる。
【０１１０】
次に、サーバー装置２０のゲーム進行部２０１は、そのユーザーの特別アイテムの獲得数に対して、特別な抽選ゲームのプレイによらず、その購入によって１プレイ分のアイテム数が加算されると、その特別アイテムの獲得数が予め決定された目標数に到達したか否かを判定する（ステップＳ２３）。本実施形態では、予め決定された目標数である「３００」に到達したか否かが判定される。
【０１１１】
サーバー装置２０のゲーム進行部２０１は、その特別アイテムの獲得数が予め決定された目標数に到達しない場合に（ステップＳ２３：「ＮＯ」）、上述したステップＳ１１に戻って、再びイベント期間に関する判定処理を行う。これに対して、その特別アイテムの獲得数が予め決定された目標数に到達した場合には（ステップＳ２３：「ＹＥＳ」）、上述したステップＳ１７へ処理を進める。
【０１１２】
以上の通り、本実施形態における情報処理システム１によれば、ユーザーは、イベント期間中に、特別な抽選ゲームを繰り返しプレイすることによって、特別アイテムの獲得数を増やすことができる。そして、特別アイテムの獲得数が目標数に到達すれば、特典として特別なイベントを実行する権利（例えば、上述したように、特典として豪華な景品を獲得できる権利）を取得することができる。また、ユーザーは、特別な抽選ゲームを繰り返しプレイしたにもかかわらず、特別アイテムの獲得数が目標数に足りない状況となった場合であっても、その特別な抽選ゲームをプレイせずに、その不足分を購入することによって補うことができる。そのため、特典の獲得を希望するユーザーを救済することが可能となる。
【０１１３】
＝＝＝その他の実施形態＝＝＝
前述の実施形態は、本発明の理解を容易にするためのものであり、本発明を限定して解釈するためのものではない。本発明は、その趣旨を逸脱することなく、変更、改良され得ると共に、本発明にはその等価物も含まれる。特に、以下に述べる実施形態であっても、本発明に含まれるものである。
【０１１４】
＜１プレイ分のアイテム数の購入＞
前述の実施形態では、抽選ゲームをプレイすることによって特別アイテムの獲得数を増やす場合と、１プレイ分のアイテム数を有償アイテムで購入することによって特別アイテムの獲得数を増やす場合で、それぞれ消費される有償アイテムの数量を異ならせることも可能である。
【０１１５】
例えば、サーバー装置２０の第１蓄積部２０３は、ユーザーが、有償アイテムを第１数量だけを消費して、特別な抽選ゲームをプレイする度に、そのプレイ分のアイテム数を特別アイテムの獲得数に加える一方で、サーバー装置２０の第２蓄積部２０５は、ユーザーが、有償アイテムをその第１数量よりも少ない第２数量だけ消費して、抽選ゲーム１プレイ分のアイテム数を購入する度に、抽選ゲーム１プレイ分のアイテム数を特別アイテムの獲得数に加えてもよい。
【０１１６】
具体的には、ユーザーが、抽選ゲームをプレイする際には、プレイ料金として、１プレイ分の有償アイテムを「２ポイント」だけ減じる（消費する）ことによって、特別アイテムの獲得数に対して１ポイント（抽選ゲーム１プレイ分のアイテム数）を加算する。これに対し、プレイせずに購入する際には、購入料金として、抽選ゲーム１プレイ分のアイテム数に相当する有償アイテムを「１ポイント」だけ減じる（消費する）ことによって、特別アイテムの獲得数に対して１ポイント（抽選ゲーム１プレイ分のアイテム数）を加算するようにする。
【０１１７】
これにより、ユーザーは、抽選ゲームを繰り返しプレイしたにもかかわらず、特別アイテムの獲得数が目標数に足りない状況となった場合に、その不足分を少ない有償アイテムの消費で購入し補うことができる。
【０１１８】
＜購入制限＞
前述の実施形態では、抽選ゲームをプレイせずに、１プレイ分のアイテム数を有償アイテムで購入することによって特別アイテムの獲得数を増やす場合において、ユーザーに対して購入制限を設けてもよい。このように購入制限を設けることで、抽選ゲームをプレイしないユーザーが容易に特典を獲得できないように抑制することが可能となる。
【０１１９】
例えば、サーバー装置２０の第２蓄積部２０５は、これまでにユーザーが購入した抽選ゲーム１プレイ分のアイテム数の合計量が、ユーザーが購入可能な最大量を超えていない場合に限り、ユーザーが１プレイ分のアイテム数を購入する度に、その１プレイ分のアイテム数を特別アイテムの獲得数に加えてもよい。
【０１２０】
具体的には、購入可能な最大量が「１０」である場合に、これまでにユーザーが購入した抽選ゲーム１プレイ分のアイテム数の合計量が「５」であったとすると、残り「５」だけ１プレイ分のアイテム数を購入できるようにする。これに対して、これまでにユーザーが購入した抽選ゲーム１プレイ分のアイテム数の合計量が「１０」であったとすると、既に最大量に到達しているため、これ以上は購入できない。つまり、このような購入制限を設けることで、目標数が「３００」である場合に、「３００」すべてをユーザーが購入できないように抑制することが可能となる。
【０１２１】
また例えば、サーバー装置２０の第２蓄積部２０５は、これまでにユーザーが抽選ゲーム１プレイ分のアイテム数を購入した合計回数が、ユーザーが購入可能な最大回数を超えていない場合に限り、ユーザーが１プレイ分のアイテム数を購入する度に、その１プレイ分のアイテム数を特別アイテムの獲得数に加えてもよい。
【０１２２】
具体的には、１回で購入できる抽選ゲーム１プレイ分のアイテム数が「１」であって、購入可能な最大回数が「１０」である場合に、これまでにユーザーが抽選ゲーム１プレイ分のアイテム数を購入した合計回数が「５」であったとすると、残り「５」だけ１プレイ分のアイテム数を購入できるようにする。つまり、購入可能な最大回数を設けることで、上述した購入可能な最大量を設ける場合と同様に、購入制限できる。
【０１２３】
また例えば、サーバー装置２０の第２蓄積部２０５は、ユーザーが特別アイテムの獲得数を増やすことが可能な所定期間のうちの一部の期間に限り、ユーザーが１プレイ分のアイテム数を購入する度に、その１プレイ分のアイテム数を特別アイテムの獲得数に加えてもよい。
【０１２４】
具体的には、特別アイテムの獲得数を増やすことが可能なイベント期間が５日に設定されている場合に、そのイベント期間のうちの最終日（１日）に限って、ユーザーが１プレイ分のアイテム数を購入できるようにする。
【０１２５】
また前述の実施形態では、特別な抽選ゲームのプレイ可能期間（例えば、イベント期間）において、いつでも抽選ゲーム１プレイ分のアイテム数を購入できる場合を例に挙げて説明したが、所定条件が成立して初めて購入できるようにしてもよい。
【０１２６】
例えば、サーバー装置２０の第２蓄積部２０５は、これまでに蓄積した特別アイテムの獲得数のうち、抽選ゲームのプレイによって蓄積した獲得数が、目標数よりも少ない所定数に到達した場合に限り、ユーザーが１プレイ分のアイテム数を購入する度に、その１プレイ分のアイテム数を特別アイテムの獲得数に加えてもよい。
【０１２７】
具体的には、目標数が「３００」であり、その目標数よりも少ない所定数が「２５０」である場合に、これまでに蓄積した特別アイテムの獲得数が「２５０」に到達したことで、その残り「５０」だけ１プレイ分のアイテム数を購入できるようにする。これにより、ユーザーが優先的に抽選ゲームを繰り返すプレイして特別アイテムの獲得数を増やすようになる。
【０１２８】
＜抽選ゲームのプレイ制限＞
前述の実施形態では、イベント期間においていつでも特別な抽選ゲームをプレイすることによって、特別アイテムの獲得数を増やすことができる場合を例に挙げて説明したが、所定条件が成立した後においては、抽選ゲームのプレイ制限を設けるようにしてもよい。
【０１２９】
例えば、サーバー装置２０の第２蓄積部２０５は、ユーザーが抽選ゲーム１プレイ分のアイテム数を購入した後では、ユーザーが抽選ゲームをプレイしても、特別アイテムの獲得数を増やさないように制限してもよい。
【０１３０】
具体的には、ユーザーが抽選ゲーム１プレイ分のアイテム数を一度でも購入すれば、その後においては、抽選ゲームをプレイしても、特別アイテムの獲得数をこれ以上増やすことができなくなる。これにより、ユーザーは、購入によって特別アイテムの獲得数を増やすことよりも、抽選ゲームの繰り返しによって特別アイテムの獲得数を増やすことを、優先的に行うようになる。
【０１３１】
＜リセット＞
前述の実施形態では、特別な抽選ゲームのプレイ可能期間（例えば、イベント期間）が終了したことによって、ユーザー情報に設定された特別アイテムの獲得数をリセットする場合を例に挙げて説明したが、本発明はこれに限定されるものではない。
【０１３２】
例えば、サーバー装置２０のリセット部２０７は、所定期間が経過する度に、ユーザー情報に設定された特別アイテムの獲得数をリセットしてもよい。
【０１３３】
具体的には、イベント期間が５日に設定されている場合に、１日が経過する度に、ユーザー情報に設定された特別アイテムの獲得数をリセットするようにする。
【０１３４】
＜補充条件＞
前述の実施形態では、抽選ゲームのプレイによらず蓄積数を増やすための補充条件が、ユーザーが抽選ゲームの１プレイ分の数量を購入することである場合を例に挙げて説明したが、本発明はこれに限定されるものではない。
【０１３５】
例えば、この補充条件が、ユーザーが抽選ゲームとは異なる他の抽選ゲームをプレイすることであってもよい。この場合、サーバー装置２０の第２蓄積部２０５は、ユーザーが抽選ゲームとは異なる他の抽選ゲームをプレイする度に、その１プレイ分のアイテム数を特別アイテムの獲得数に加えてもよい。
【０１３６】
具体的には、ユーザーが特別な抽選ゲームをプレイせずに、通常の抽選ゲームをプレイすることによっても、特別な抽選ゲーム１プレイ分のアイテム数を特別アイテムの獲得数に加えるようにする。
【０１３７】
この際に、特別な抽選ゲームをプレイすることによって特別アイテムの獲得数を増やす場合と、通常の抽選ゲームをプレイすることによって特別アイテムの獲得数を増やす場合で、それぞれ消費される有償アイテムの数量を異ならせることも可能である。
【０１３８】
具体的には、ユーザーが、特別な抽選ゲームをプレイする際には、プレイ料金として、１プレイ分の有償アイテムを「２ポイント」だけ減じる（消費する）ことによって、特別アイテムの獲得数に対して１ポイント（抽選ゲーム１プレイ分のアイテム数）を加算する。これに対し、通常の抽選ゲームをプレイする際には、プレイ料金として、１プレイ分の有償アイテムを「１ポイント」だけ減じる（消費する）ことによって、特別アイテムの獲得数に対して１ポイント（抽選ゲーム１プレイ分のアイテム数）を加算する。
【０１３９】
またこの際、特別な抽選ゲームで抽選される景品のレアリティの階級幅が、通常の抽選ゲームで抽選される景品のレアリティの階級幅よりも小さくなるように設計してもよい。
【０１４０】
具体的には、レアリティが「１」〜「５」までの５段階に設定されているとすると（「５」が最も高いレアリティとすると）、特別な抽選ゲームで抽選されるキャラクター（景品）のレアリティの階級幅を「４」〜「５」の２段階に設定する一方で、通常の抽選ゲームで抽選されるキャラクター（景品）のレアリティの階級幅を「１」〜「５」の５段階に設定する。これにより、特別な抽選ゲームの価値を通常の抽選ゲームよりも高めることができる。
【０１４１】
また例えば、この補充条件が、ユーザーが１つのアイテムを使用することであってもよい。この場合、サーバー装置２０の第２蓄積部２０５は、ユーザーが１つの所定アイテムを使用する度に、抽選ゲーム１プレイ分のアイテム数を特別アイテムの獲得数に加えてもよい。
【０１４２】
具体的には、ユーザーが特別な抽選ゲームをプレイせずに、イベント報酬として配られたアイテムを使用（消費）して、抽選ゲーム１プレイ分のアイテム数を購入する度に、その１プレイ分のアイテム数を特別アイテムの獲得数に加えてもよい。また、ユーザーが特別な抽選ゲームをプレイせずに、対戦ゲーム等で所定のアイテムを使用することによっても、特別な抽選ゲーム１プレイ分のアイテム数を特別アイテムの獲得数に加えるようにする。
【０１４３】
また例えば、この補充条件が、イベントをクリアすること、アイテムを所定数（例えば、３００個等）集めること、イベントでのランキングで所定以上の順位（例えば、上位１００番以内など）に入賞すること、又は、キャラクターを一定の基準まで成長させること（例えば、レベル５０まで成長させる等）、所定のアイテムを有償アイテムの消費によって購入すること等であってもよい。そして、サーバー装置２０の第２蓄積部２０５は、このような条件の達成により、抽選ゲーム１プレイ分のアイテム数を特別アイテムの獲得数に加えてもよい。これにより、特典を取得する機会をユーザーに与えながら、ゲーム行動を促進することができる。
【０１４４】
＜目標数を下げる方法＞
前述の実施形態では、ユーザーが１プレイ分のアイテム数を有償アイテムで購入することで、特別な抽選ゲームをプレイせずに、特別アイテムの獲得数（蓄積数）を増やす方法を例に挙げて説明したが、ユーザーが１プレイ分のアイテム数を有償アイテムで購入する度に、目標数を徐々に下げるようにしてもよい。
【０１４５】
例えば、
ユーザーの蓄積数がユーザー毎に設定されたユーザー情報を記憶するユーザー情報記憶部と、
ユーザーが抽選ゲームをプレイする度に、そのプレイ分の数量を前記ユーザーの蓄積数に加える蓄積部と、
ユーザーの蓄積数が予め設定された目標数に到達したことによって、前記ユーザーに特典を付与する特典付与部と、
抽選ゲームのプレイによらず前記蓄積数を増やすための補充条件をユーザーが満たす度に（例えば、補充条件として、ユーザーが前記抽選ゲームの１プレイ分の数量を購入する度に）、前記目標数から、前記抽選ゲームの１プレイ分の数量を減らすことによって、軽減後の目標数を再設定する目標数設定部と、
を備えた情報処理装置によって実現してもよい。
【０１４６】
＜販売・購入＞
前述の実施形態では、抽選ゲーム１プレイ分の特別アイテムの個数（つまり、１プレイ分のアイテム数）をユーザーが購入できる場合を例に挙げて説明したが、このときの購入対象（販売対象）は、アイテム数（数量、ポイント、数値）でなくてもよく、特別アイテム自体でもよい。
【０１４７】
＜蓄積数＞
前述の実施形態では、ユーザーの蓄積数は「特別アイテムの獲得数」に限られるものではない。例えば、「特別な抽選ゲームのプレイ回数」でもよく、そのプレイ回数が目標数の「３００」に到達したことで特典を付与してもよい。
【０１４８】
また、前述の実施形態では、ユーザーの蓄積数は、抽選ゲームで抽選されたキャラクターの種類に応じて蓄積されることとしてもよい。例えば、抽選ゲームで抽選されたキャラクターのレアリティが「４」以下である場合にのみ、蓄積されることとしてもよい。
【０１４９】
＜特典＞
前述の実施形態では、ユーザーに付与される特典はキャラクターに限られるものではない。例えば、アイテム、クエスト、称号等、所定のゲーム内コンテンツを付与してもよい。
【０１５０】
＜コンテンツ＞
前述の実施形態では、景品や特典となるコンテンツはキャラクターに限られるものではない。例えば、アイテム、カード、フィギュア、アバター等でもよい。また、景品とは別に付与されるコンテンツは、アイテムに限られるものではない。例えば、キャラクター、カード、フィギュア、アバター等でもよい。
【符号の説明】
【０１５１】
１  情報処理システム
１０  クライアント端末
２０  サーバー装置
５０  コンピューター
５１  ＣＰＵ
５２  ＲＡＭ
５３  ＲＯＭ
５４  通信インタフェース
５５  入力装置
５６  表示装置
５７  外部インタフェース
５８  ＨＤＤ
１００  クライアント制御部
１０１  要求送信部
１０２  応答受信部
１２０  クライアント記憶部
１４０  クライアント通信部
１５０  操作受付部
１６０  画面表示部
２００  サーバー制御部
２０１  ゲーム進行部
２０２  抽選部
２０３  第１蓄積部
２０４  販売部
２０５  第２蓄積部
２０６  特典付与部
２０７  リセット部
２０８  表示制御部
２２０  サーバー記憶部
２２１  キャラクター情報記憶部
２２２  アイテム情報記憶部
２２３  抽選ゲーム情報記憶部
２２４  ユーザー情報記憶部
２４０  サーバー通信部
５００  特典選択画面
５０１  特典リスト表示領域
５０２  ラジオボタン
５０３  操作ボタン
Ｂ  バスライン
Ｎ  ネットワーク
【要約】
【課題】特典の獲得を希望するユーザーを救済する。
【解決手段】本発明は、ユーザーの蓄積数が設定されたユーザー情報を記憶するユーザー情報記憶部と、ユーザーが抽選ゲームをプレイする度に、そのプレイ分の数量を前記ユーザーの蓄積数に加える第１蓄積部と、前記抽選ゲームのプレイによらず前記蓄積数を増やすための補充条件をユーザーが満たす度に、前記抽選ゲームの１プレイ分の数量を前記ユーザーの蓄積数に加える第２蓄積部と、ユーザーの蓄積数が予め設定された目標数に到達したことによって、前記ユーザーに特典を付与する特典付与部を備えた情報処理装置である。
【選択図】図１【図１】
0006680394.tif 000002
【図２】
0006680394.tif 000003
【図３】
0006680394.tif 000004
【図４】
0006680394.tif 000005
【図５】
0006680394.tif 000006
【図６】
0006680394.tif 000007
【図７】
0006680394.tif 000008
【図８】
0006680394.tif 000009
【図９】
0006680394.tif 000010
【図１０】
0006680394.tif 000011